(57)【要約】【課題】着用するだけで衝撃保護機能に加えてスポーツ障害防止機能が得られ、スポーツ障害の発生率の激減が期待でき、将来ある若者を守ることにもつながる画期的なスポーツウェアを提供すること。【解決手段】少なくとも着用者の陰部及び臀部を覆うパンツ本体部１と、太腿を覆う太腿部２とを備えたスポーツウェアであって、前記パンツ本体部１の臀部若しくは腰側面部を覆う部位に、着用者のこの臀部若しくは腰側面部への衝撃を緩和する衝撃保護パット材３を設け、少なくとも前記太腿部２に、長さ方向に伸縮しにくいか若しくは殆ど伸縮しない伸縮阻止ライン部４を形成すると共に、この伸縮阻止ライン部４は、人体にテープを巻き筋肉，関節などの動きを規制して挫傷，打撲，肉離れ，捻挫，骨折などを防止するテーピング効果と同様な効果を生じ得る方向に形成せしめたスポーツウェア。【選択図】　　　　図１
2004008249.tif 000002
【特許請求の範囲】
【請求項１】
少なくとも着用者の陰部及び臀部を覆うパンツ本体部と、太腿を覆う太腿部とを備えたスポーツウェアであって、前記パンツ本体部の臀部若しくは腰側面部を覆う部位に、着用者のこの臀部若しくは腰側面部への衝撃を緩和する衝撃保護パット材を設け、少なくとも前記太腿部に、長さ方向に伸縮しにくいか若しくは殆ど伸縮しない伸縮阻止ライン部を形成すると共に、この伸縮阻止ライン部は、人体にテープを巻き筋肉，関節などの動きを規制して挫傷，打撲，肉離れ，捻挫，骨折などを防止するテーピング効果と同様な効果を生じ得る方向に形成せしめたことを特徴とするスポーツウェア。
【請求項２】
前記太腿部に、前記パンツ本体部着用者の太腿の筋肉繊維の長さ方向に沿って前記伸縮阻止ライン部を形成したことを特徴とする請求項１記載のスポーツウェア。
【請求項３】
陰部及び臀部を覆う前記パンツ本体部の陰部及び股下部及び前記臀部谷間部を覆う部位を、通気性素材で構成したことを特徴とする請求項１，２のいずれか１項に記載のスポーツウェア。
【請求項４】
少なくとも着用者の陰部及び臀部を覆うパンツ本体部と、太腿を覆う太腿部とを備え、前記パンツ本体部の臀部若しくは腰側面部を覆う部位に前記衝撃保護パット材を設けた野球用のスライディングパンツであって、前記太腿部に前記伸縮阻止ライン部を設けたことを特徴とする請求項１〜３のいずれか１項に記載のスポーツウェア。
【発明の詳細な説明】
【０００１】
【発明の属する技術分野】
本発明は、着用するだけで衝撃保護機能とスポーツ障害防止機能とが得られるパンツタイプのスポーツウェアに関するものである。
【０００２】
【従来の技術及び発明が解決しようとする課題】
この種スポーツウェアは、従来からスポーツの種類に応じた色々なものがあり、特に運動量の激しいスポーツ用にあっては様々なサポート機能を備えたものが実施されている。
【０００３】
例えば、野球用のスライディングパンツと称される衝撃保護パット付のスポーツウェアがあり、このスライディングパンツを履いているとスライディング時に臀や腰側面にかかる衝撃が緩和されるもので、野球をする人は大半がこのスライディングパンツを着用する。
【０００４】
しかし、このような衝撃保護機能のあるスポーツウェアでは、確かに衝撃に対する軽減・緩和効果が得られるものの、挫傷，打撲，肉離れ，捻挫，骨折などの様々なスポーツ障害を防ぐことは難しい。
【０００５】
そのため、これらのスポーツ障害を防止するためには、スライディングパンツのような衝撃保護機能付スポーツウェアを装着した上で、更にサポーターを着用したりテーピングを行ったりすることが望ましいのであるが、これらのことは、実際にはケガを負っている人が再発防止のために行うケースがほとんであり、元々健康な人は、スライディングパンツのような衝撃保護ウェアは着用しても、ケガをしない限りサポーターやテーピングは不要と考える傾向が強いため、なかなかスポーツ障害予防のためにという目的では定着していない。
【０００６】
そして、衝撃保護機能付スポーツウェアだけを着用して練習や試合に臨んだ結果、ケガをして重要な競技大会に出場できなくなってしまうというケースが数多くあり、このことが原因でスポーツで大成するためのチャンスを掴めない者も少なくない。また、特に高校生などの若年齢者が肉離れを起こすことも多く、将来のある若者が若年期に肉離れなどを起こすことは非常に危険であり、これが元で後の人生を左右されることにもなりかねないという問題もあった。
【０００７】
一方、従来、スポーツ科学におけるテーピング理論を応用し、積極的に伸縮しにくい部分を形成することでテーピングと同等の効果を生じさせるアンダーウェアが提案されている。
【０００８】
そして、このテーピング理論応用型のアンダーウェアを着用すれば、テーピング効果によってスポーツ障害の予防が図れるが、現状ではこのテーピング理論応用型のアンダーウェアはほとんど着用されていない。
【０００９】
その原因は、前述したように元々健康な人はサポーターやテーピングをしない傾向にあることや、激しいスポーツほどこのようなテーピング効果のあるアンダーウェアを着用しなければならないにもかかわらず、激しいスポーツに際してはスライディングパンツのような衝撃保護機能付のスポーツウェアを着用してしまうために、更にアンダーウェアを着用することが億劫になってしまうことにあった。
【００１０】
即ち、テーピング理論応用型のアンダーウェアと衝撃保護機能付のスポーツウェアとを二枚着用することは面倒である上、例えば、テーピング理論応用型のアンダーウェアの上に衝撃保護効果のあるスポーツウェアを重ね着したり、アンダーウェアを二重に重ね着したりすることでスポーツ障害防止効果と衝撃保護効果とが得られるようにすることは、重ね着により着用者の運動性が損なわれると共に、ムレ易くなって快適性も損なってしまうなどの問題を生じてしまうため、このテーピング理論応用型のアンダーウェアは着用されていなかった。
【００１１】
そこで、本発明者は、このような現状に鑑み、スポーツ時に着用され易いスライディングパンツのような衝撃保護機能を持つスポーツウェアに、テーピング理論を応用したスポーツ障害防止機能を合わせ持つ構成とすれば、上記問題は全て解消されてユーザーに支持されることになり、そして、激しいスポーツに際し普段通り衝撃保護機能付スポーツウェアを着用するようなつもりでユーザーに着用されれば、同時にスポーツ障害防止効果も得られるために、スポーツ障害の発生率が激減し、特に将来ある若者を守ることにもつながることになるのではないかと着眼し、本発明の画期的なスポーツウェアを完成させた。
【００１２】
【課題を解決するための手段】
添付図面を参照して本発明の要旨を説明する。
【００１３】
少なくとも着用者の陰部及び臀部を覆うパンツ本体部１と、太腿を覆う太腿部２とを備えたスポーツウェアであって、前記パンツ本体部１の臀部若しくは腰側面部を覆う部位に、着用者のこの臀部若しくは腰側面部への衝撃を緩和する衝撃保護パット材３を設け、少なくとも前記太腿部２に、長さ方向に伸縮しにくいか若しくは殆ど伸縮しない伸縮阻止ライン部４を形成すると共に、この伸縮阻止ライン部４は、人体にテープを巻き筋肉，関節などの動きを規制して挫傷，打撲，肉離れ，捻挫，骨折などを防止するテーピング効果と同様な効果を生じ得る方向に形成せしめたことを特徴とするスポーツウェアに係るものである。
【００１４】
また、前記太腿部２に、前記パンツ本体部１着用者の太腿の筋肉繊維の長さ方向に沿って前記伸縮阻止ライン部４を形成したことを特徴とする請求項１記載のスポーツウェアに係るものである。
【００１５】
また、陰部及び臀部を覆う前記パンツ本体部１の陰部及び股下部及び前記臀部谷間部を覆う部位を、通気性素材５で構成したことを特徴とする請求項１，２のいずれか１項に記載のスポーツウェアに係るものである。
【００１６】
また、少なくとも着用者の陰部及び臀部を覆うパンツ本体部１と、太腿を覆う太腿部２とを備え、前記パンツ本体部１の臀部若しくは腰側面部を覆う部位に前記衝撃保護パット材３を設けた野球用のスライディングパンツであって、前記太腿部２に前記伸縮阻止ライン部４を設けたことを特徴とする請求項１〜３のいずれか１項に記載のスポーツウェアに係るものである。
【００１７】
【発明の実施の形態】
好適と考える本発明の実施の形態（発明をどのように実施するか）を、図面に基づいてその作用効果を示して簡単に説明する。
【００１８】
本発明品を着用すると、パンツ本体部１の臀部若しくは腰側面部を覆う部位にある衝撃保護パット材３により、着用者の臀部若しくは腰側面部は衝撃から保護され、例えばスライディング時の地面との接触に際して擦過傷や打撲の軽減を図れることになる。
【００１９】
従って、例えば、野球，スキー，サッカー，ラグビーなどの、臀部や腰側面部が地面に対して接触することの多いスポーツ用のサポートウェアとして従来と同様の秀れた衝撃保護効果を発揮する。
【００２０】
また、少なくとも太腿部２に設けた伸縮阻止ライン部４は、その長さ方向に伸縮しにくいか若しくはほとんど伸縮しない。
【００２１】
この伸縮阻止ライン部４は、人体にテープを巻き筋肉，関節などの動きを規制して挫傷，打撲，肉離れ，捻挫，骨折などを防止するテーピング効果と同様な効果を生じ得る方向に形成したことで、この方向の筋肉（少なくとも太腿の筋肉）などの動きが規制され、上記のようなスポーツ障害を防止する効果（テーピング効果）が生じることとなる。
【００２２】
従って、単に本発明品を一枚着用するだけで、運動性，快適性を損なうことなく、衝撃保護機能とテーピング効果によるスポーツ障害防止機能とが発揮されることになる。
【００２３】
また、単にテーピング効果を持つだけの従来のアンダーウェアでは、健康な人はサポーターやテーピングをしない傾向にあることや、スライディングパンツのような衝撃保護機能付のスポーツウェアとの併用が億劫であったことからスポーツ時の着用率が低かったが、この本発明によれば、衝撃保護機能により激しいスポーツにも対応できる上、激しいスポーツでは大半が着用する衝撃保護機能付のスポーツウェアに、テーピング効果によるスポーツ障害防止機能を合わせ持たせたから、サポーターやテーピングが不要と考える健康な人であっても、例えばこれまで通りの衝撃保護効果を得ようという目的で本発明品を違和感なく着用することができ、これにより衝撃保護機能付のスポーツウェアと同等の高い着用率が見込まれることになる。
【００２４】
従って、特に衝撃保護機能付のスポーツウェアが着用されるような激しいスポーツにおいては、本発明品は非常に高い着用率が期待できる上、本発明品を一枚着用することにより衝撃保護効果と共に自動的にスポーツ障害防止効果が発揮されるため非常に実用的となり、これにより特に身体が地面に対して接触することが多く、ケガをし易い激しいスポーツを中心にこのテーピング効果を備えた本発明のスポーツウェアの普及が見込まれることになり、普及によりスポーツ障害発生の激減が期待でき、将来ある若者を守ることにもつながる極めて有用な従来にない画期的なスポーツウェアとなる。
【００２５】
また、例えば、前記太腿部２に、前記パンツ本体部１着用者の太腿の筋肉繊維の長さ方向に沿って前記伸縮阻止ライン部４を形成すれば、一層テーピング効果が良好に発揮され、一層秀れたスポーツ障害防止効果が得られることになる。
【００２６】
また、例えば、陰部及び臀部を覆う前記パンツ本体部１の陰部及び股下部及び前記臀部谷間部を覆う部位を、通気性素材５で構成すれば、着用時にムレにくく、運動後の快適性も維持されことになり、一層実用的となる。
【００２７】
また、例えば、少なくとも着用者の陰部及び臀部を覆うパンツ本体部１と、太腿を覆う太腿部２とを備え、前記パンツ本体部１の臀部若しくは腰側面部を覆う部位に前記衝撃保護パット材３を設けた野球用のスライディングパンツであって、前記太腿部２に前記伸縮阻止ライン部４を設ければ、単に本発明品を一枚着用するだけで、上記したような衝撃保護機能とテーピング効果によるスポーツ障害防止機能との二つの効果が得られることになる極めて実用性に秀れた野球用スライディングパンツを構成可能となる。
【００２８】
【実施例】
本発明の具体的な実施例について図面に基づいて説明する。
【００２９】
本実施例では、図１，図２に示すような着用者の陰部及び臀部を覆うパンツ本体部１と、太腿を覆う太腿部２とを備えた野球用のスライディングパンツ（図３に示すようなユニフォームの下に着用するアンダーパンツ）に適用している。
【００３０】
具体的には、本実施例のパンツ本体部１は、伸縮性を有する素材で構成し、人体にピッタリとフィットして筋肉の無駄な振動を抑え、疲労を軽減できるように構成している。
【００３１】
また、本実施例では、このパンツ本体部１の臀部及び腰側面部を覆う部位に、着用者のこの臀部及び腰側面部への衝撃を緩和する衝撃保護パット材３を設けている。
【００３２】
具体的に説明すると、臀部谷間部を覆う部位を避け、この臀部谷間部付近の左右部から左右の腰側面部を介し陰部付近に至る前側左右部にまで、左右対称に衝撃保護パット材３を内装し、これにより臀部から前側の陰部付近に至るまでの身体左右部位が良好に衝撃から保護されるように構成している。
【００３３】
また、この左右に設けられた衝撃保護パット材３は、いずれも下端部が着用者の太腿の付け根付近に位置するように上下長さを設定し、これにより腰から太腿の付け根に至るまでの身体左右部位が良好に衝撃から保護されるように構成している。
【００３４】
従って、この衝撃保護パット材３により秀れた衝撃吸収効果が得られ、スライディング時の地面との接触に対して擦過傷や打撲の軽減を図れることになる。
【００３５】
また、本実施例では、少なくとも前記太腿部２に、長さ方向に伸縮しにくいか若しくは殆ど伸縮しない伸縮阻止ライン部４を形成すると共に、この伸縮阻止ライン部４は、人体にテープを巻き筋肉，関節などの動きを規制して挫傷，打撲，肉離れ，捻挫，骨折などを防止するテーピング効果と同様な効果を生じ得る方向に形成している。
【００３６】
具体的に説明すると、スポーツ科学におけるテーピング理論は、テープを貼ったり巻き付けたりすることで、このテープを貼った方向の関節や筋肉の動きを規制して関節，筋肉などを補強し、或いはテープを巻き付けることでその部分に不必要な力が加わらないようにしたりするもので、脚，腕，腰を始め、肩，首，指に至るまで人体の関節，靭帯，骨などを保護し、挫傷，打撲，肉離れ，捻挫，骨折などのスポーツ障害の予防，再発を防止するために研究されている。
【００３７】
本実施例では、このテーピング理論のうち、特に腰から太腿にかけてを保護するように設計している。
【００３８】
即ち、この理論に基づき伸縮性を有するスライディングパンツに、長さ方向にほとんど伸縮しない伸縮阻止ライン部４を着用者の太腿の長さ方向に蛇行させて形成している。
【００３９】
更に説明すると、図１，図２に示すようにパンツ本体部１の腰部から太腿部の裾にかけてに、着用者の太腿の筋肉繊維の長さ方向に沿って湾曲状の前記伸縮阻止ライン部４を形成し、この伸縮阻止ライン部４によりテーピング方向の動きを規制すれば、太腿の筋肉の保護，股関節の保護などが図れ、その結果太腿の肉離れ，股関節の挫傷などのスポーツ障害を予防或いはその再発を防止し得るとの理論に基づいて構成している。
【００４０】
また、この伸縮阻止ライン部４は、パンツ本体部１の前側左右に夫々二本ずつ、後側左右に一本ずつ設け、この片側三本ずつの伸縮阻止ライン部４によって一層テーピング効果が良好に発揮されるようにしている。
【００４１】
従って、太腿の筋肉の動きや股関節の動きを考慮して設定されたこの伸縮阻止ライン部４によって、野球プレイヤーに生じ易い挫傷や肉離れなどの防止の他、人体へのフィット感も向上し、運動時の疲労も一層軽減されることになる構成としている。
【００４２】
また、本実施例では、陰部及び臀部を覆う前記パンツ本体部１の陰部及び股下部及び前記臀部谷間部を覆う部位を、通気性素材５で構成し、これにより特にムレ易いパンツ本体部３内の陰部及び股下部及び前記臀部谷間部の温度コントロールが適度になされて、着用時にムレにくく、快適性が維持され、抗菌，消臭効果も得られることになる構成としている。
【００４３】
また、本実施例では、前記太腿部２の裾部２Ａ内面に滑り止め材６を設け、図３，図４に示すように野球用のストッキング７を履いてから、このストッキングの上端部外面に太腿部２の裾部２Ａを被せることで、この滑り止め材６によりストッキング７のズリ落ちが防止されることになる構成としている。
【００４４】
更に具体的に説明すると、太腿部２の裾部２Ａ内面の全周にシリコンプリントをしたゴム６Ａを縫込みし、このゴム６Ａを前記滑り止め材６としている。
【００４５】
図中符号７Ａは野球用のアンダーストッキングである。
【００４６】
尚、本発明は、本実施例に限られるものではなく、各構成要件の具体的構成は適宜設計し得るものである。
【００４７】
【発明の効果】
本発明は上述のように構成したから、単に本発明品を一枚着用するだけで、運動性，快適性を損なうことなく、衝撃保護機能とテーピング効果によるスポーツ障害防止機能とが発揮されることになり、しかも、激しいスポーツでは大半が着用するスライディングパンツのような衝撃保護機能付のスポーツウェアに、テーピング効果によるスポーツ障害防止機能を合わせ持たせたから、サポーターやテーピングが不要と考える健康な人であっても、例えばこれまで通りの衝撃保護効果を得ようという目的で本発明品を違和感なく着用することができ、これにより衝撃保護機能付のスポーツウェアと同等の高い着用率が見込まれることになり、従って、特に身体が地面に対して接触することが多く、ケガをし易い激しいスポーツを中心にこのテーピング効果を備えた本発明のスポーツウェアの普及が見込まれてスポーツ障害発生の激減が期待でき、将来ある若者を守ることにもつながることになる極めて有用な従来にない画期的なスポーツウェアとなる。
【００４８】
また、請求項２記載の発明においては、一層テーピング効果が良好に発揮され、一層秀れたスポーツ障害防止効果が得られることになる極めて実用性に秀れたスポーツウェアとなる。
【００４９】
また、請求項３記載の発明においては、着用時にムレにくく、運動後の快適性も維持されことになる一層実用性に秀れたスポーツウェアとなる。
【００５０】
また、請求項４記載の発明においては、上記作用効果を奏する極めて実用性に秀れた野球用スライディングパンツを構成可能となる。
【図面の簡単な説明】
【図１】本実施例を示す正面図である。
【図２】本実施例を示す背面図である。
【図３】本実施例の使用状態を示す説明図である。
【図４】本実施例の使用状態における滑り止め材によるストッキングのズリ落ち防止機能を示す説明図である。
【符号の説明】
１　パンツ本体部
２　太腿部
３　衝撃保護パット材
４　伸縮阻止ライン部
５　通気性素材
【図１】
2004008249.tif 000003
【図２】
2004008249.tif 000004
【図３】
2004008249.tif 000005
【図４】
2004008249.tif 000006